(57)【要約】  流体ディスペンサーには、分注されるべき流体の量の調整を可能にする調整可能な用量機構が含まれている。調整可能な用量機構は、ディスペンサー内に高用量配向または低用量配向のいずれかで挿入可能である。本体はさらに、用量調整用フランジ対を含む。調整可能な用量機構本体がディスペンサー内に高用量配向で収容された場合、相対的に多量の流体製品が分注される。調整可能な用量機構本体がディスペンサー内に低用量配向で収容された場合、相対的に少量の流体製品が分注される。
2015518409.tif 000002
【特許請求の範囲】
【請求項１】
ハウジングと、
分注すべき流体供給物を有するハウジング内部のコンテナと、
ユーザーが起動させた場合に一定量の流体がコンテナから分注される結果となる分注用アクチュエータと、
高用量表面、低用量表面、内側縁部および外側縁部を含む調整可能な用量機構本体であって、相対的に高用量表面よりも低用量表面に近いところに位置づけされた１つ以上の用量調整用フランジをさらに含む用量機構本体と、
を含むディスペンサーにおいて、
ハウジングが、ハウジングの内部に位置づけされ調整可能な用量機構本体を高用量配向または低用量配向のいずれかで収容するようにサイズ決定された調整可能な用量機構収容部域をさらに含み、
調整可能な用量機構本体が調整可能な用量機構収容部域内に高用量配向で収容された場合に、相対的に多量の流体製品が後続する分注のためにポンプ内に吸引され、一方、調整可能な用量機構本体が調整可能な用量機構収容部域内に低用量配向で収容された場合に、相対的に少量の流体製品が後続する分注のためにポンプ内に吸引されるようになっている、
ことを特徴とするディスペンサー。
【請求項２】
調整可能な用量機構本体が馬蹄形状の本体を含む請求項１に記載のディスペンサー。
【請求項３】
馬蹄形状の本体が、つま先部分と、側方に間隔を有する一対のヒール部分とをさらに含む、請求項２に記載のディスペンサー。
【請求項４】
調整可能な用量機構本体が用量インジケータリブをさらに含む、請求項１に記載のディスペンサー。
【請求項５】
ハウジングが高用量インジケータと低用量インジケータをさらに含み、用量インジケータリブは、調整可能な用量機構本体が調整可能な用量機構収容部域内に高用量配向で収容された場合に高用量インジケータと整列し、かつ用量インジケータリブは、調整可能な用量機構本体が調整可能な用量機構収容部域内に低用量配向で収容された場合に低用量インジケータと整列する、請求項４に記載のディスペンサー。
【請求項６】
調整可能な用量機構本体が閉鎖された規則的形状または閉鎖された不規則な形状のうちの１つを含んでいる、請求項１に記載のディスペンサー。
【請求項７】
調整可能な用量機構本体が、側面が開放した規則的形状または側面が開放した不規則な形状のうちの１つを含んでいる、請求項１に記載のディスペンサー。
【請求項８】
調整可能な用量機構収容部域が、調整可能な用量機構本体を収容するようにサイズ決定されたスロットをさらに含む、請求項１に記載のディスペンサー。
【請求項９】
ハウジングがさらにポンプ係合表面を含み、
調整可能な用量機構本体が調整可能な用量機構収容部域内に高用量配向で収容された場合、用量調整用フランジがポンプ係合表面に相対的に近いところに位置づけされ、一方、調整可能な用量機構本体が調整可能な用量機構収容部域内に低用量配向で収容された場合に、用量調整用フランジがポンプ係合表面から相対的に遠いところに位置づけされるようになっている、請求項１に記載のディスペンサー。
【請求項１０】
１つ以上の用量調整用フランジが、本体部材の内側縁部から内向きに延在する一対の用量調整用フランジを含む、請求項１に記載のディスペンサー。
【請求項１１】
分注アクチュエータがユーザーにより手動で起動させられる、請求項１に記載のディスペンサー。
【請求項１２】
分注アクチュエータが、ユーザーの存在を感知することによって自動的に起動させられる、請求項１に記載のディスペンサー。
【発明の詳細な説明】
【技術分野】
【０００１】
本開示は、流体ディスペンサーに関する。
【背景技術】
【０００２】
手洗いは、接客業（ホテル、レストランなど）およびヘルスケア（病院、介護施設など）を含めた多くの産業において重要である。さらに、さまざまな流体の分注(dispens)を行う多くの利用分野が他にも存在する。手洗いを容易にするため、例えば、事業所の従業員または利用者、ヘルスケア施設の従業員、患者または訪問者あるいは他の人物が手を洗う目的で厨房またはトイレのシンクの近くに、手洗浄製品を分注する流体ディスペンサーを設置する場合がある。このような流体ディスペンサーは、所望される流体製品の供給物の入ったカートリッジまたは可撓性バッグなどの使い捨てまたは詰め替え可能な製品コンテナを収納する。流体には、例えばフォーム、液体および／またはジェルが含まれ得る。ディスペンサーは、一般に壁掛け式であり、流体製品の供給物を詰め替えまたは交換しうるようにディスペンサーハウジングの開閉を可能にするヒンジ式カバーを含む。一部の流体ディスペンサーは、ディスペンサー上の取っ手、バーまたはボタンを押すかまたは引くことにより、手動で起動させられる。他の流体ディスペンサーは、ディスペンサーの近くのユーザーまたはユーザーの手の存在を感知することよって自動的に分注する。
【発明の概要】
【発明が解決しようとする課題】
【０００３】
一般に、本開示は、調整可能な用量を有する流体ディスペンサーに関する。
【課題を解決するための手段】
【０００４】
一実施例において、本開示は、ハウジングと、分注すべき流体供給物を有するハウジングの内部のコンテナと、ユーザーが起動させた場合に一定量の流体がコンテナから分注される結果となる分注用アクチュエータと、高用量表面、低用量表面、内側縁部および外側縁部を含む調整可能な用量機構本体であって、相対的に高用量表面よりも低用量表面に近いところに位置づけされた１つ以上の用量調整用フランジをさらに含む本体と、を含むディスペンサーにおいて、ハウジングが、ハウジングの内部に位置づけされ調整可能な用量機構本体を高用量配向または低用量配向のいずれかで収容するようにサイズ決定された調整可能な用量機構収容部域をさらに含み、こうして、調整可能な用量機構本体が調整可能な用量機構収容部域内に高用量配向で収容された場合に、相対的に多量の流体製品が後続する分注のためにポンプ内に吸引され、調整可能な用量機構本体が調整可能な用量機構収容部域内に低用量配向で収容された場合に、相対的に少量の流体製品が後続する分注のためにポンプ内に吸引されるようになっている、ディスペンサーに向けられている。
【０００５】
１つ以上の実施例の詳細は、添付図面および以下の明細書中に記されている。他の特徴および利点は、明細書および図面から、およびクレームから明らかになるものである。
【図面の簡単な説明】
【０００６】
【図１】調整可能な用量を有する例示的流体ディスペンサーを示すブロック図である。
【図２】例示的な調整可能な用量機構を示す例示的ディスペンサー（カバー開放状態）の斜視図である。
【図３】ディスペンサーの内部に設置された図２の調整可能な用量機構を有する例示的ディスペンサー（カバー開放状態）の斜視図である。
【図４】高用量側(high dose side)から見た例示的な調整可能な用量機構の斜視図である。
【図５】低用量側(low dose side)から見た例示的な調整可能な用量機構の斜視図である。
【図６】高用量配向で設置された調整可能な用量機構を有し、カバーが取外された状態の例示的ディスペンサー（ポンプ無し）の正面図である。
【図７】低用量配向で設置された調整可能な用量機構を有し、カバーが取外された状態の例示的ディスペンサー（ポンプ無し）の正面図である。
【図８】分注アクチュエータが解放された位置にある状態で、高用量配向で設置された調整可能な用量機構を有する、カバーが取外された状態の例示的ディスペンサー（ポンプを含む）の正面図である。
【図９】分注アクチュエータが完全に押し下げられた位置にある状態で、高用量配向で設置された調整可能な用量機構を有する、カバーが取外された状態の例示的ディスペンサー（ポンプを含む）の正面図である。
【図１０】分注アクチュエータが解放された位置にある状態で、低用量配向で設置された調整可能な用量機構を有する、カバーが取外された状態の例示的ディスペンサー（ポンプを含む）の正面図である。
【図１１】分注アクチュエータが完全に押し下げられた位置にある状態で、低用量配向で設置された調整可能な用量機構を有する、カバーが取外された状態の例示的ディスペンサー（ポンプを含む）の正面図である。
【図１２】代替的な調整可能な用量機構の斜視図である。
【図１３】高用量位置に設置された代替的な調整可能な用量機構の斜視図である。
【図１４】低用量位置に設置された代替的な調整可能な用量機構の斜視図である。
【図１５】調整可能な用量能力を有する別の例示的ディスペンサーの内部斜視図である。
【図１６】調整可能な用量機構本体が高用量配向で収容された状態の、図１５のディスペンサーの内部正面図である。
【図１７】調整可能な用量機構本体が低用量配向で収容された状態の、図１５のディスペンサーの内部正面図である。
【発明を実施するための形態】
【０００７】
図１は、調整可能な用量を有する例示的流体ディスペンサー１００の前方斜視図である。例示的流体ディスペンサー１００は、手洗浄液、液体石けん、ローション、ジェル、フォーム、シャンプー、ハンドクリーム、殺菌剤、消毒剤、フォーム、洗剤、漂白剤、清浄剤、洗たく用製品などを含めた（ただしこれに限定されない）あらゆるタイプの流体を分注してよい。
【０００８】
例示的ディスペンサー１００には、フロントカバー１０２とバックプレート１０４を有するハウジング１１０が含まれている。バックプレート１０４は、壁または他の物体に対するディスペンサー１００の取付けを容易にする。この実施例において、ハウジング１１０は、カバー１０２が閉鎖位置と開放位置の間で枢動できるようにする１つまたは複数のヒンジ１１２を含む。プッシュバー１０６により、ユーザーはディスペンサー１００を手動で起動させて、矢印１０８により示されている通りに一定量の流体を分注させることができる。他の実施例では、プッシュバー１０６の代りに異なるタイプの手動式アクチュエータが使用されてよい。代替的には、ディスペンサー１００は、その近くのユーザーの手の存在を検出し、検出に応答して自動的にアクチュエータを始動させて、一定量の流体を分注させるセンサーを含んでいてよい。
【０００９】
ハンドケアディスペンサーの実施例においては、ソープディスペンサーは一般に、従業員、一般の人または他のユーザーによる手洗いを容易にするため、厨房、病室、休憩室または他の場所に設置される。ディスペンサーが使用されている環境（例えばヘルスケア場所に対して接客業またはレストランの場所）や、分注されている流体のタイプおよび／または組織または企業体の特定の要件に応じて、分注すべき流体製品に所望される量は異なる可能性がある。この目的で、ディスペンサー１００には、所望の設定値に用量を調整できるようにする調整可能な用量機構が具備されている。
【００１０】
図２は、本明細書の目的でディスペンサーから取外された状態の例示的な調整可能な用量機構１２０の例を示す例示的ディスペンサー１００（カバー１０２は開放状態）の斜視図である。図３は、ディスペンサーの内部に設置された図２の調整可能な用量機構１２０を有する例示的ディスペンサー１００（カバー１０２は開放状態）の斜視図である。ディスペンサー１００は、プッシュバー１０６（または他の手動式または自動式分注アクチュエータ）に作動的に連結されたアクチュエータ１６０を含む。プッシュバー１０６の起動に応答して、アクチュエータ１６０は、以下でさらに詳述する通りポンプ（図２には図示せず）を押し下げるように機能して、既定量の流体を流体コンテナ（同様に図２には図示せず）から分注させる。この実施例において、ポンプ収容部域１１５とスロット１１６Ａおよび１１６Ｂを有するポンプ支持フレーム１１４は、図３に示されている通り調整可能な用量機構１２０を収容するようにサイズ決定されている。
【００１１】
図４は、高用量配向にある例示的調整可能な用量機構１２０の斜視図である。図５は、低用量配向にある例示的調整可能な用量機構１２０の斜視図である。この実施例では、調整可能な用量機構１２０は、高用量表面１２１、低用量表面１２３、内側縁部１２５および外側縁部１２７を有する概して馬蹄形の本体１２６を含む。本明細書の目的で、高用量配向とは、図４に示されている通り高用量表面１２１が上を向いているものとして定義され、低用量配向とは、図５に示されている通りに低用量表面１２３が上を向いているものとして定義される。しかしながら、これらの定義は、説明を目的としたものにすぎず、開示がこの点において限定されることはないということを理解すべきである。
【００１２】
この実施例の本体１２６はさらに、本体１２６の内側縁部１２５から内向きに延在する一対の用量調整用フランジ１２２Ａおよび１２２Ｂを含む。フランジ１２２Ａおよび１２２Ｂは、相対的に高用量表面１２１よりも低用量表面１２３に近いところで内側縁部１２６上に位置づけされる。したがって、高用量配向において、フランジ１２２Ａおよび１２２Ｂは本質的に、調整可能な用量機構１２０の下向きに面した側の方に位置づけされる。低用量配向では、フランジ１２２Ａおよび１２２Ｂは本質的に、調整可能な用量機構１２０の上向きに面した側の方に位置づけされている。この実施例では、一対の用量調整用フランジが示されているが、本開示はこの点において限定されるように意図されていないことを理解すべきである。例えば、本体１２６は１つ以上の用量調整用フランジを含んでいてよい。別の実施例として、２つの別個のフランジではなくむしろ単一の用量調整用フランジまたはリムが、本体１２６の内側縁部の周囲に延在していてよい。さらに、１つ以上の用量調整用フランジは、内側縁部１２５から内向きに延在するのではなくむしろ外側縁部１２７から外向きに延在してよい。したがって、図中に示されている具体的実施例に加えて、調整可能な用量機構本体１２６の多くの異なる実施例が本開示の範囲内に入るものとみなされる。
【００１３】
この実施例において、調整可能な分注機構本体１２６にはさらに、つま先部分１２６と一対の側方に間隔を有するヒール部分１２８Ａ、１２８Ｂが含まれる。複数のヒール部分の１つ、すなわちこの実施例ではヒール部分１２８Ａの近くに、用量インジケータリブ１２４が位置づけされてよい。
【００１４】
他の実施例において、分注機構本体１２６は馬蹄形である必要はない。例えば、分注機構本体１２６は、円形、楕円形、矩形、正方形あるいは事実上任意の他の閉鎖された規則的または不規則な形状であってよい。さらに他の実施例では、図４および５に示された概して馬蹄形の形状に加えて、分注機構本体１２６は側面が開放した事実上任意の他の規則的または不規則な形状をとってよい。
【００１５】
図６は、高用量配向で設置された調整可能な用量機構１２０を有し、カバーが取外された状態の例示的ディスペンサーの正面図である。図７は、低用量配向で設置された調整可能な用量機構１２０を有し、カバーが取外された状態の例示的ディスペンサーの正面図である。本明細書の目的では、ディスペンサーは、図６および７においてポンプ無しで示されている。フレーム１１４は、下部係合表面１６２を含み、この表面に対し、ディスペンサーが起動された時点でポンプ（図６および７には図示せず）の下部表面が係合する。図６の高用量配向では、フランジ１２２Ａおよび１２２Ｂは、図７の低用量配向にある場合の位置に比べてディスペンサーとの関係において低いところに位置づけされる。その結果、下部係合表面１６２とフランジ１２２Ａおよび１２２Ｂの底面の間には空隙１３２がもたらされる。図７の低用量配向において、フランジ１２２Ａおよび１２２Ｂは、図６の高用量配向にある場合の位置に比べてディスペンサーとの関係において高いところに位置づけされる。その結果、下部係合表面１６２とフランジ１２２Ａおよび１２２Ｂの底面の間には空隙１３４がもたらされる。フランジ１２２Ａおよび１２２Ｂの底面と下部係合表面１６２の間の距離のこの差、すなわち空隙１３４のサイズに比べた空隙１３２のサイズの差は、調整可能な用量機構１２０が図７の低用量配向にある場合に比べた高用量配向で分注される流体量の変化を説明している。
【００１６】
図８および９は、高用量配向で設置された調整可能な用量機構１２０を有しカバーが取外された状態にある例示的ディスペンサーの正面図である。ポンプ１５０も、図８および９の両方においてディスペンサーの内部に設置された状態で示されている。ポンプ１５０は、上部表面１５２と底部表面１５４を有する係合リング１５６を含む。ポンプ１５０は同様に、ノズル１５８も含んでおり、これを通して、矢印１０９により示されている通り、流体製品が分注される。
【００１７】
一部の実施例において、ポンプ１５０は、最適な性能を得るためポンプが起動される毎に完全に押し下げられるように設計されたポンプを用いて実施されてよい。以下でさらに詳細に説明するように、本明細書中に記載の調整可能な用量機構を有するディスペンサーは、高用量モードと低用量モードの両方においてポンプを完全に押し下げることができるようにする。こうして、本明細書中に記載の調整可能な用量機構を有するディスペンサーは、最適な性能を得るため完全に押し下げられるように設計されたポンプ用として有利であるかもしれない。しかしながら、必ずしもポンプが完全に押し下げられる必要のないものを含めた他のタイプのポンプも同様に使用してよいということを理解すべきである。したがって、他の実施例において、ポンプ１５０は、他の任意のポンプを用いて実施されてよい。したがって、異なるタイプのポンプを使用してよく、開示はこの点において限定されていないことを理解すべきである。
【００１８】
図８では、分注アクチュエータ１６０は、完全に解放された位置にあり、一方図９では、分注アクチュエータ１６０は、完全に係合した位置にある（例えば分注アクチュエータは完全に押し下げられている）。図８において、ディスペンサークチュエータが（手動式または自動式のいずれかで）解放された場合、アクチュエータ１６０は下向きに移動し、こうして係合フランジ１２２Ａおよび１２２Ｂの底部表面が係合リング１５６の上部表面１５２を下向きに押すことになる。図９に示されているようにディスペンサーが（手動式または自動式のいずれかで）起動された場合、アクチュエータ１６０は上向きに移動し、こうして下部係合表面１６２が、係合リング１５６の底部表面１５４を上向きに押すことになる。こうしてポンプ１５０が起動させられ、その結果、相対的に高い供与量の流体製品が矢印１０９により示されている通りに分注されることになる。
【００１９】
図１０および１１は、低用量配向で設置された調整可能な用量機構１２０を有する、カバーが取外された状態にある例示的ディスペンサーの正面図である。ポンプ１５０も同様に、図１０および図１１の両方においてディスペンサーの内部に設置された状態で示されている。図１０において、分注アクチュエータ１６０は完全に解放された位置にあり、一方図１１では、分注アクチュエータ１６０は完全に係合された位置にある（例えば分注アクチュエータは完全に押し下げられている）。
【００２０】
図１１に示されているようにディスペンサーが（手動式または自動式のいずれかで）起動された場合、アクチュエータ１６０は上向きに移動し、こうして下部係合表面１６２が、係合リング１５６の底部表面１５４を上向きに押すことになる。こうしてポンプ１５０が起動させられ、その結果、（図８および９に示されている高用量モードで分注される相対的に高い供与量と比べて）相対的に低い供与量の流体製品が矢印１１１により示されている通りに分注されることになる。
【００２１】
図１０において、ディスペンサークチュエータが（手動式または自動式のいずれかで）解放された場合、アクチュエータ１６０は下向きに移動し、こうして係合フランジ１２２Ａおよび１２２Ｂの底部表面が係合リング１５６の上部表面１５２を下向きに押すことになる。しかしながら、係合リング１５４の上部表面は、空隙１３４により示される移動距離を通過するまで、フランジ１２２Ａおよび１２２Ｂと接触しない。一般に、低用量構成における空隙１３４のサイズは、図８および９に示された高用量構成での空隙１３２のサイズよりも大きい。低用量構成において空隙サイズ１３４がさらに大きいことの結果として、低用量構成において次の分注サイクルのためにポンプ１５０内に吸引される流体製品は少なくなる。このようにして、矢印１１１によって示されている通り、低用量構成で相対的に低い供与量の流体製品が分注される。さらに、高用量および低用量の両方の構成において各々の分注の間、アクチュエータは、下部表面１６２により画定される最大限まで押し下げられるかまたは係合される。
【００２２】
低用量配向内に提供される空隙１３４は高用量配向で提供される空隙１３２よりも大きいことから、ポンプ１５０内に吸引される流体製品の量は、図１０および１１の低用量配向の場合よりも図８および９の高用量配向の場合の方が相対的に大きい。ここでもまた、これは、係合リング１５６の上部表面１５２が、低用量配向の場合よりも高用量配向の場合にアクチュエータの解放中のより早い時点でフランジ１２２Ａおよび１２２Ｂと接触し、こうして低用量配向に比べて相対的に多くの流体製品がポンプ１５０内に吸引されるという事実に起因している。
【００２３】
空隙１３２および／または１３４のサイズは、高用量配向および／または低用量配向で分注されるべき所望の量の流体製品を提供するように調整されてよい。例えば、高用量配向は１．５ミリリットル（ｍｌ）の液体用量を提供してよく、一方低用量配向はこの液体の１．０ミリリットル（ｍｌ）の用量を提供してよい。別の実施例として、高用量配向は１．０ミリリットル（ｍｌ）のフォーム用量を提供してよく、一方低用量配向は、このフォームを０．７ミリリットル（ｍｌ）の用量で提供してよい。しかしながら、これらの絶対的および相対的供与量が単なる例示を目的としたものであり、本開示がこの点において限定されるものではないことを理解すべきである。
【００２４】
図８〜１１において、分注機構本体１２６は、図４および５にさらに詳しく示されている概して馬蹄形のものである。しかしながら、任意の開放型または閉鎖型形状で置換されてよく、本開示はこの点において限定されるものではない。側面が開放した規則的または不規則的な形状を有する分注機構本体により、ポンプを概して水平な方向からディスペンサー内に設置することが可能になるかもしれない。閉鎖された規則的または不規則な形状を有する分注機構本体の実施例においては、ポンプを幾分かさらに垂直な方向で（例えば図８〜１１に示された実施例では上から）設置してもよい。こうして、本明細書では、分注機構本体１２６の具体的実施例が図示され説明されているが、本明細書中に記載の調整可能な用量機能を提供することのできる任意のサイズおよび形状の分注機構を、本開示の精神および範囲から逸脱することなく、提示された具体的実施例の代わりに使用してよいということを理解すべきである。
【００２５】
本明細書中に記載の調整可能な用量機構を有するディスペンサーは、いくつかの利点を提供する。例えば、本明細書中に記載の設計は、手動式プッシュバーの移動距離を制限しない。これにより、より小さい用量を提供するためにプッシュバーの移動距離が制限される場合に比べて、ユーザーはより確実な感覚を体験する。別の実施例として、高用量配向および低用量配向の両方において下部係合表面１６２を維持するということは、ディスペンサーがどの配向で置かれているかとは無関係にポンプ１５０が完全に押し下げられることを意味している。このことは、起動される毎に完全に押し下げられることが好まれる一部のタイプのポンプにとっては１つの利点であるかもしれない。
【００２６】
高用量配向と低用量配向の両方において下部係合表面１６２を維持することにより、ディスペンサーが高用量配向または低用量配向のいずれにあるかとは無関係にアクチュエータがその最下位置に戻るという結果も同様にもたらされる。これは、それ自体、用量設定値の如何に関わらずポンプとアクチュエータの整列を補助して、ディスペンサー機構の厄介な手動操作を必要とせずにポンプを取り外したりディスペンサー内に再度設置することができるようにするかもしれない。
【００２７】
図１２は、同じく代替的な調整可能な用量機構２２０を示す、ディスペンサー２２０の一部分の内部斜視図である。ディスペンサー２００は、調整可能な用量機構２２０を収容するようにサイズ決定された少なくとも２つのスロット２１８を有する調整可能な用量フレーム２１６を含む。この実施例において、フレーム２１６は２つのスロット、高用量スロット２１８Ａと低用量スロット２１８Ｂを含む。ディスペンサー２００はさらに、下部ポンプ係合表面２６２を含む。ポンプ２５０には、上部表面２５２と下部表面２５４を有する係合リング２５６を含む。
【００２８】
図１３は、高用量構成でディスペンサー内に設置された図１２の調整可能な用量機構２２０の斜視図である。換言すると、図１３においては、機構２２０が、高用量スロット２１８Ａ内に設置されている。図１４は、低用量構成で設置された調整可能な用量機構２２０の斜視図である。換言すると、図１４においては、機構２２０が低用量スロット２１８Ｂ内に設置されている。図１３の高用量構成にある場合、調整可能な用量機構２２０の下部表面と下部係合表面２６２の間に空隙２３２が提供される。図１４の低用量構成にある場合、調整可能な用量機構２２０の下部表面と下部係合表面２６２の間に空隙２３４が提供される。
【００２９】
図８〜１１に関して以上で記述したものと同様に、図１３の高用量構成と図１４の低用量構成の両方において、ディスペンサーが（手動式かまたは自動式のいずれかで）起動された場合、アクチュエータ２６０は概して上向き方向に移動し、こうして、下部係合表面は係合リング２５６の底部表面２５４を押すことになる。図１３の高用量構成においては、空隙２３２のサイズは、図１４の低用量構成における空隙１３４のサイズに比べ相対的に小さい。その結果、高用量構成においてポンプ２５０内に吸引される流体製品の量と比べて、低用量構成では相対的に少ない流体量がポンプ２５０の中に吸引される。このようにして、低用量スロット２１８Ｂ内に調整可能な用量機構が位置づけされた場合、高用量スロット２１８Ａと比較して相対的に低い用量の流体製品が分注される。しかしながら、各分注時に、アクチュエータ２６０は、機構２２０が低用量または高用量構成のいずれに位置づけされているかとは無関係に、下部係合表面２６２により定義される最大限まで押し下げられるかまたは係合される。
【００３０】
図１４の低用量配向で提供される空隙２３４は、図１３の高用量配向で提供される空隙２３２よりも大きいことから、ポンプ２５０内に吸引される流体製品の量は、低用量配向の場合よりも高用量配向の場合の方が相対的に大きい。ここでもまた、これは、係合リング２５６の上部表面２５２が、低用量配向の場合よりも高用量配向の場合にアクチュエータの解放中のより早い時点にフランジ機構２２０の下部表面と接触し、こうして低用量配向に比べて相対的に多くの流体製品がポンプ２５０内に吸引されるという事実に起因している。
【００３１】
図１５は、調整可能な用量能力を有する別の例示的ディスペンサー３００の内部斜視図である。この実施例において、調整可能な用量機構３２０には用量インジケータリブ３２２が含まれる。用量調整装置収容フレーム３１４には高用量インジケータ３３０Ａと低用量インジケータ３３０Ｂが含まれている。図１６に示されている通り、用量インジケータリブ３２２は、調整可能な用量機構本体３２０が調整可能な用量機構収容部域内に高用量配向で収容された場合、高用量インジケータ３３０Ａと整列する。同様に、図１７に示されている通り、用量インジケータリブ３２２は、調整可能な用量機構本体３２０が調整可能な用量機構収容部域内に低用量配向で収容された場合、低用量インジケータ３３０Ｂと整列する。このようにして、ユーザーは調整可能な用量機構本体が高用量配向または低用量配向のいずれで設置されているかを視覚的に判定することができる。このとき、調整可能な用量機構本体が所望の配向で当初設置されていない場合、ユーザーはそれを取外して再度設置してよい。
【００３２】
本明細書中に示され記載されている実施例は、ディスペンサーの下部係合表面と調整可能な用量機構の底部表面の間の空隙または距離の調整が、分注される製品の相対的量を調整する効果を有することを示している。相対的により小さい空隙または距離とは、後続する分注のためにポンプ内に相対的により多くの製品が吸引されることを意味する。相対的により大きい空隙または距離とは、後続する分注のために相対的により少ない製品がポンプ内に吸引されることを意味する。したがって、この空隙または距離が調整されてディスペンサーに調整可能な用量を提供するあらゆる実施が本開示の範囲内に入るよう意図されたものであり、本明細書中で図示され記述されている具体的実施例が単なる一例にすぎず、本開示がこの点において限定されるものではないことを理解すべきである。
【００３３】
さらに、本明細書中で図示され記載されている実施例には高および低用量構成が含まれているが、３つ以上の用量オプションが具備され得る他の実施形態も高く評価されることを理解すべきである。例えば、図２〜１１に関して記述された実施例において、フランジが異なる厚みまたは異なる配置を有する追加の調整可能な用量機構が含まれていて、３つ以上の異なるサイズの空隙を結果としてもたらしてもよい。別の実施例として、図１２〜１４に関連して、ディスペンサーは、各々異なる用量レベルを提供する３つ以上のスロット２１８を有するフレーム２１６を含んでいてよい。したがって、調整可能な用量機構を有するディスペンサーに対する多くの変形形態が、本開示の範囲内に含まれるように意図されている。
【００３４】
さまざまな実施例が記述されてきた。これらのおよび他の実施例は、以下のクレームの範囲内に入るものである。
【図１】
2015518409.tif 000003
【図２】
2015518409.tif 000004
【図３】
2015518409.tif 000005
【図４】
2015518409.tif 000006
【図５】
2015518409.tif 000007
【図６】
2015518409.tif 000008
【図７】
2015518409.tif 000009
【図８】
2015518409.tif 000010
【図９】
2015518409.tif 000011
【図１０】
2015518409.tif 000012
【図１１】
2015518409.tif 000013
【図１２】
2015518409.tif 000014
【図１３】
2015518409.tif 000015
【図１４】
2015518409.tif 000016
【図１５】
2015518409.tif 000017
【図１６】
2015518409.tif 000018
【図１７】
2015518409.tif 000019
【国際調査報告】
2015518409.tif 000020
2015518409.tif 000021